(57)【要約】【課題】緊急時、乗員が車外へ出ることなく車両から停止表示器材を出現させ、どの方向からも停止表示器材が確実に後尾車両又は周囲に確認され、かつ危険回避されて安全性を確保する。【解決手段】車両Ａから上方に延びる発光素子１１を有する筒状バルーン１０と、そのバルーン１０への封入用ガス発生器２０と、バルーンの先端の三角表示板３０及び発煙筒４０を備えた緊急時車両警告表示装置Ｐである。バルーンは、常時、折り畳まれて車両内に収納されており、スイッチ９の作動によりガスが送り込まれて車両上に起立して回転する。この車両上の三角表示板は、法令上の「停止表示器材」であるため、後尾車両の運転者は、前の車両に何らかの事故が生じたことを知る可能性が高い。また、発光及び発煙によってその確認も確実であり、回転することによって、どの方向からも確認できる。【選択図】図７
2016107749.tif 000002
【特許請求の範囲】
【請求項１】
車両（Ａ）から上方に延びる筒状バルーン（１０）と、そのバルーン（１０）への封入用ガス発生器（２０）と、前記バルーン（１０）の先端の三角表示板（３０）とを有し、前記バルーン（１０）は、常時、折り畳まれて前記車両（Ａ）内に収納されており、スイッチ（９）の作動により前記ガス発生器（２０）からガスが送り込まれると、膨張して上方に延びて車両（Ａ）上に起立することを特徴とする緊急時車両警告表示装置。
【請求項２】
上記バルーン（１０）の下端はそのバルーン軸周りに回転可能に支持されて、上記スイッチ（９）の作動によりそのバルーン（１０）は回転することを特徴とする請求項１に記載の緊急時車両警告表示装置。
【発明の詳細な説明】
【技術分野】
【０００１】
この発明は、車両（以下、電気モータ又はエンジンを原動機とした軽乗用車、普通乗用車、バス、トラックを含めて総合的に「車両」と称する。）の高速道路等での故障、事故時に、その車両が非常事態であることを車外に出ることなく、後尾車両に危険を知らせ、回避して安全性を確保させるための非常設置器材としての緊急時車両警告表示装置に関するものである。
【背景技術】
【０００２】
道路交通法施行規則には、「高速自動車国道等において、故障その他の理由により自動車を運転することができなくなったときは、当該自動車等が故障その他の理由により停止しているものであることを表示するために運転者が後方から進行してくる自動車の運転者が見やすい位置に停止表示器材を置かなければならない。」とされており、同規則 第二章の六「停止表示器材の基準」には、下記のように定められている。
【０００３】
（夜間用停止表示器材）
一．  板状の停止表示器材（次条において「停止表示板」という。）にあっては、次に該当するものであること。
イ．  別記様式第五の五又は別記様式第五の六に定める様式の中空の正立正三角形の反射部を有するものであること。
ロ．  夜間、二百メートルの距離から前照灯で照射した場合にその反射光を照射位置から容易に確認できるものであること。
ハ．  反射光の色は、赤色であること。
ニ．  路面上に垂直に設置できるものであること。
二．  灯火式の停止表示器材（次条において「停止表示灯」という。）にあっては、次に該当するものであること。
イ．  路面上に設置した状態において、長さ十七センチメートル、幅十七センチメートル、高さ十五センチメートルを超えないものであること。
ロ．  点滅式のものであること。
ハ．  夜間、路面上に設置した場合に二百メートルの距離から点灯を容易に確認できるものであること。
ニ．  灯光の色は、紫色であること。
【０００４】
（昼間用停止表示器材）
一．  停止表示板にあっては、次に該当するものであること。
イ．  別記様式第五の六に定める様式の中空の正立正三角形のけい光部及び非けい光部を有するものであること。
ロ．  昼間、二百メートルの距離からそのけい光を容易に確認できるものであること。
ハ．  けい光の色及び非けい光部の色は、赤色であること。
ニ．  路面上に垂直に設置できるものであること。
二．  停止表示灯にあっては、次に該当するものであること。
イ．  路面上に設置した状態において、長さ十七センチメートル、幅十七センチメートル、高さ十五センチメートルを超えないものであること。
ロ．  点滅式のものであること。
ハ．  昼間、路面上に設置した場合に二百メートルの距離から点灯を容易に確認できるものであること。
ニ．  灯光の色は、紫色であること。
【０００５】
このように定められていることから、上記停止表示器材として、下記特許文献１〜７には種々の発明が提案されている。
【０００６】
「特許文献１」
反射効率の良い素材で浮き輪の三角型を作り、空気を注入することで、三角表示器とする発明が開示されている。
この空気注入型三角表示器は、前・後なく両側反射を行い、未使用時は折畳みしケースに収納の為、軽量・コンパクト化を図れる。としている。
【０００７】
「特許文献２」
車体後部のリヤウンド内側に対応して配備され、ブレーキスイッチと電気的に接続された中央部の発光素子と、この中央部の発光素子の両端部に、回動部材を介して配備された起伏自在な発光素子から成る非常停止表示部材が開示されている。
この非常停止表示部材は、車両外に出ることなく、非常停車中であることを後続車に適正に報知し得る。としている。
【０００８】
「特許文献３」
少なくとも後方及び上方へ照射し得るようにリヤスポイラーに装着したランプ本体と、ランプ本体の上側に被着するように配設し、中央部にて折曲自在で且つ両端部をランプ本体の両側でスライド可能に支持した枠板と、ランプ本体の両側に配置し、枠板の各端部をリヤスポイラーの幅方向にスライド可能に支持するガイドレールと、枠板の裏面にて開閉自在に支持された一対の反射部材と、を備え、枠板両端部を相互に接近スライドさせることにより、ランプ本体にて傾斜させると共に、反射部材が枠板から所定角度だけ拡開する自動車用三角表示板ユニットが開示されている。
このユニットは、三角表示板が独自で発光し、他の車両のライト照明等を受けることなく、それ自体で優れた表示・識別性能を発揮する。また、三角表示板の発光・表示をあらゆる角度から視認することができ、極めて高い安全性を確保することができる。更に、リヤスポイラーに設けたスイッチ片等の簡単な操作により、三角表示板を所定位置に的確にセットすることができ、操作性に優れており、取扱いが極めて容易である。としている。
【０００９】
「特許文献４」
車両のトランクカバーの内側に背面電極層、発光体層、光透過性電極層等が順次重ねて形成されたＥＬ素子を装着した車両用警告表示装置が開示されている。
この車両用警告表示装置は、周囲が暗い時に車両後方へ遠く離れても、ＥＬ素子自体の発光によって警告用表示自体が光るため、警告用表示の明確な視認が可能である。としている。
【００１０】
「特許文献５」
車両の衝撃を検出する衝撃センサと、発煙筒を自動的に着火させる発煙筒自動着火装置と、発煙筒を車体内から車体外へ移動する発煙筒移動装置と、衝撃センサにより車両の衝突や異常な衝撃を検出したら、自動的に発煙筒の着火を行う発煙筒着火判定制御装置を備える車両用発煙筒制御装置が開示されている。
この車両用発煙筒制御装置は、車両事故により乗員が、発煙筒を使った後続車への告知ができない場合にも、車両が自動的に発煙筒を着火することで後続車へ事故を告知し被害拡大を防止する。また盗難防止機構との併用することも可能である。としている。
【００１１】
「特許文献６」
発煙筒に点火栓をつけ、衝突判定センサ及びバッテリーを導火線により点火栓に直列に結線した衝突判定センサ付発煙筒が開示されている。
この発煙筒は、衝突が起きた場合に迅速かつ確実に発煙筒が自動着火することにより、後続車に危険を知らせ、玉突き事故の防止に役立つ。としている
【００１２】
「特許文献７」
衝突事故等の車両事故の際に、車両に設置されているエアーバッグシステムの作動に連動させて、バルーン内へガスを供給し、折りたたんだ状態のバルーンを瞬時に膨張展開するとともに、膨張したバルーンを車外へ自動的に放出し、空中に浮遊させ、後続車両等に対して、道路上に停止している事故車両の存在を報知する事故車両への追突防止装置が開示されている。
この追突防止装置は、事故車両のドライバー（運転者）の意識とは無関係に、追突防止のための警報を自動的に表示し、後続車両のドライバー等に対して、事故車両の存在を認識させ、二次災害を未然に防止する。としている。
【先行技術文献】
【特許文献】
【００１３】
【特許文献１】特開２００８−１７６２４９号公報
【特許文献２】特開平０６−５５９７５号公報
【特許文献３】特開平０８−４８１８６号公報
【特許文献４】特開２００４−２０３１９６号公報
【特許文献５】特開２００６−１６３９６１号公報
【特許文献６】実用新案登録第３００４２８３号公報
【特許文献７】特開２００９−１１６７２８号公報
【発明の概要】
【発明が解決しようとする課題】
【００１４】
特許文献１〜４記載の技術は、緊急時、車外へ出ることなく自動的に三角表示板または、車両用警告表示装置を出現させて非常事態であることを後尾車両に告知する構造となっているが、その表示装置が車両背面に固定されているため、走行車線に対し車両が傾いて停止した状態では後尾車両から表示板をはっきり見極めることが困難となる。
【００１５】
特許文献５〜６記載の技術は、緊急時、自動で発煙筒を着火させて後尾車両へ報知効果をもたらしている構造となっているが、発煙筒の発煙持続時間が短時間であるため、発煙停止後も報知効果を持続させるための非常器材を必要とする。
【００１６】
特許文献７記載の技術は、車両上に膨らんだバルーンの警告表示によって後尾車両に危険を報知するものであるが、その警告表示が部分的であり、後尾車両から表示板をはっきり見極めることが困難である。また、バルーン内を発光ダイオード等によって発光することも記載されているが（同文献段落００２６〜同００２７参照）、単なる発光では、後尾車両に危険を確実に報知することは困難である。
【００１７】
この発明は、このような実状の下、緊急時、乗員が車外へ出ることなく車両から非常設置器材を複雑な構造を用いることなく出現させ、非常器材の報知効果が持続でき、かつ、どの方向からも非常器材が確実に後尾車両又は周囲に危険回避してもらって安全性を確保させることを課題とする。
【課題を解決するための手段】
【００１８】
上記課題を達成するため、この発明は、まず、ガス封入により上方に延びる筒状バルーンを設けることとしたのである。
このようにバルーンが車両上に延びて立ち上がれば、緊急時、その車両運転手は車外に出ることなく、後尾車両の運転者に、前の車両に何らかの事故が生じたことを知らせることができる。このとき、筒状であるため、多くのガス量を必要とせずに、バルーンを高く起立し得る。
【００１９】
つぎに、そのバルーンの先端に三角表示板を設けたのである。三角表示板は、上記道路交通法施行規則に定められた「停止表示器材」であって、運転者はその三角表示板が停止表示器材であることは知っていなければならないものであるため、その三角表示板が起立したバルーンの先端にあれば、後尾車両の運転者は、前の車両に何らかの事故が生じたことを知る可能性が高い。
【００２０】
この発明の構成としては、車両から上方に延びる筒状バルーンと、そのバルーンへの封入用ガス発生器と、前記バルーンの先端の三角表示板とを有し、前記バルーンは、常時、収縮して前記車両内に収納されており、スイッチの作動により前記ガス発生器からガスが送り込まれると、膨張して上方に延びて車両上に起立する構成を採用することができる。
バルーンは、皺にならずに収納し易い材料を適宜に選択する。ガスには、空気等を適宜に選択する。スイッチは、運転者が作動したり、衝撃センサにより作動したり、エアバックの衝撃検知器としたりすることができる。
【００２１】
この構成において、上記バルーンの下端はそのバルーン軸周りに回転可能に支持されて、上記スイッチの作動によりそのバルーンが回転するようにすれば、停止した車両の何れの方向からも三角表示板を確認することができる。このため、走行車線に対し車両が傾いて停止した状態においても、後尾車両から三角表示板をはっきり見極めることができる。
上記三角表示板には上記スイッチの作動により発光する発光素子を設ければ、昼間のみならず、夜間においても、その三角表示板の確認がより確実となる。このとき、その発光素子は点滅するものとするのが好ましい。点滅すれば、運転者がより確認し得るものとなる。発光素子にはＬＥＤ（発光ダイオード：light emitting diode）等を適宜に選択する。
さらに、上記スイッチの作動により発煙する発煙筒をバルーンの先端に設ければ、三角表示板に加え、その発煙によって、後尾車両の運転者は、前の車両に何らかの事故が生じたことを確実に知ることができる。
【発明の効果】
【００２２】
この発明は以上のように構成したので、高速道路等での車両の故障や事故時、運転手または同乗者が車外に出ることなく、三角表示板を車両上に位置させて、車両が停止したことを報知できるため、二次事故を防止できるとともに、後尾車両の運転者に、前の車両に何らかの事故が生じたことを知らせることができ、危険回避等の安全性を確保させることができる。
【図面の簡単な説明】
【００２３】
【図１】この発明に係わる緊急時車両警告表示装置の一実施形態を車両に搭載した概略正面図
【図２】同概略平面図
【図３】同緊急時車両警告表示装置の一実施形態を示し、（ａ）は概略平面図、（ｂ）は概略切断正面図、（ｃ）は概略切断側面図
【図４】同実施形態の三角表示板を省いた状態を示し、（ａ）は概略平面図、（ｂ）は概略切断正面図、（ｃ）は概略切断側面図
【図５】同実施形態の三角表示板と回転軸の関係を示し、（ａ）は概略平面図、（ｂ）は概略切断正面図、（ｃ）は概略切断側面図
【図６】同実施形態のバルーン膨張時の外観斜視図
【図７】この発明に係わる緊急時車両警告表示装置の一実施形態を車両に搭載してその装置が作動した状態の概略正面図
【図８】同実施形態のバルーンの収納説明図
【発明を実施するための形態】
【００２４】
この発明に係わる緊急時車両警告表示装置の一実施形態を図１〜図８に示し、この実施形態の緊急時車両警告表示装置Ｐは乗用車Ａに搭載した場合を示しているが、車両（乗用車）Ａは小型に限定するものではなく、大型車両にも適用可能である。この車両Ａは、通常のように、車輪Ｗ、座席Ｂ等を有し、ハンドル（ステアリングホイール）Ｃによって車輪Ｗを動かして走行するものである。図中、Ｄはフロントガラスである。
【００２５】
緊急時車両警告表示装置Ｐは、図３〜図５の各（ｂ）に示すように、ケース１をマグネット２を介して、例えば、車両Ａのルーフパネルの後部に取付られる。そのケース１内に、図３〜図５に示すようにバルーン１０と、そのバルーン１０への封入用ガス発生器となる小型ガスボンベ２０と、三角表示板３０と、発煙筒４０が配置されている。
バルーン１０は、フィルム素材、塩化ビニル材等を用いて形成されて筒状をしており、内部にＬＥＤ発光素子１１と電気配線（図示せず）が透明樹脂によりラミネート加工されて組込まれている（図６参照）。
【００２６】
このバルーン１０の先端部に三角表示板３０及び発煙筒４０が設けられている。三角表示板３０はその一面の各辺部分に赤色発光のＬＥＤからなる発光素子３１が設けられる等して（図６参照）、上記規則 第二章の六「停止表示器材の基準」に適合するものとなっている。この発光素子３１の配置は任意である。発煙筒４０には着火器４１が備えられており（図６参照）、後述の制御器（プリント基板７）からの信号により電力が供給されると、この着火器４１が発火して発煙筒４０から発煙する（煙４２が出る）。
【００２７】
この三角表示板３０及び発煙筒４０付のバルーン１０は、図６、図７に示す伸長して扁平にされた状態で製作され、その下部が後述の歯車４に取り付けられる。その状態において、適宜に畳んでケース１内に収納する。例えば、図８に示すように、まず、右側（同図右方）に倒して折り線ｒ１を介して手前（同前方）に折り、つぎに、折り線ｒ２を介して上側（同後方）に折り返し、さらに折り線ｒ３を介して手前に折り返すと共に、折り線ｒ４を介して左側（左方）に折り返し、最後に、折り線ｒ５を介して三角表示板３０が鎖線で示すようにルーフパネルに沿うように折り返し、その先端部を最上部にしてケース１内に折り畳んで収納する。
【００２８】
ガスボンベ２０にはその内蔵ガスをバルーン１０の内部へ充填させる配管２１、ガスボンベ２０を開閉コントロールする自動復帰式電磁弁２２が備えられている（図４（ａ）参照）。このため、後述の制御器（プリント基板７）からの信号により電力がこの電磁弁２２に供給されると、電磁弁２２がガスボンベ２０とバルーン１０を配管２１を介して連通し、ガスボンベ２０からバルーン１０にガスが送り込まれる。
【００２９】
ケース１の底板中央に軸受３を介して歯車４が設けられており、この歯車４にバルーン１０の下部が気密に固着されている。また、ケース１の底板には回転動力を与えるアクチュエータ５が設けられており、このアクチュエータ５によって前記歯車４に噛み合うピニオンギア６が回転される（図３（ｂ）参照）。
さらに、ケース１内には、上記電磁弁２２、アクチュエータ５、発光素子３１、着火器４１をコントロールするための制御回路を有するプリント基板７が配置されており（図３（ａ）参照）、その制御回路により、電磁弁２２等のそれぞれの制御を行うと共に、内部バッテリー８から発光素子３１等に電力を供給して作動させる。プリント基板７の制御回路には、運転席に近い位置に設けられたスイッチ９が配線９ａによって接続されている（図２参照）。
【００３０】
この緊急時車両警告表示装置Ｐは以上の構成であり、今、運転者がスイッチ９を作動（ＯＮ）すると（操作すると）、電磁弁２２がガスボンベ２０とバルーン１０を配管２１を介して連通し、ガスボンベ２０からバルーン１０にガスが送り込まれる。このガス流入により、バルーン１０は膨張し、そのバルーン１０の膨張力によりケース１上部カバーが開放される。この開放に伴い、図７に示すように、バルーン１０が直立した状態になり、その直立したバルーン１０先端部に三角表示板３０、発煙筒４０が出現する。また、同時に、着火器４１が作動して発煙筒４０が発煙状態となって煙４２が出るとともに、発光素子３１が発光する。さらに、プリント基板７からの信号により、アクチュエータ５によるバルーン１０の回転が起こり、直立姿勢に伸びたバルーン１０に回転動作を与える。
【００３１】
この図７に示す、バルーン１０が直立し、その直立したバルーン１０先端部に三角表示板３０、発煙筒４０が出現し、また、その三角表示板３０が発光し、さらに、発煙状態となり、そのバルーン１０、発光素子３１、発煙が回転する態様は、極めて異様であり、後尾車両の運転者に、前の車両に何らかの事故が生じたことを容易に知らせるものとなる。特に、法令上の「停止表示器材」である三角表示板３０が回転すれば、その確認は確実となる。
【００３２】
上記実施形態は、緊急時車両警告表示装置Ｐを、ルーフパネルへの設置例としたが、トランクリッド等の車両Ａの他の適宜な部位に設けることができ、また、車両リアスポイラー等と一体化させて装備させることも可能である。
スイッチ９に代えて、衝撃センサ、エアバックの検知装置等の運転者の操作によらない、衝突等の衝撃によって自動的に電磁弁２２などに信号を送る種々のセンサを採用できる。このとき、運転者による操作スイッチ９も併用し得る。
バルーン１０の筒状は、フィルム等の素材を１層としてその中にガスを充填したり、同素材を内外層を有する２層としてその内外層間にガスを充填したりする形状とすることができる。後者の２層であると、両層間にガスを入れるだけですむため、ガス量を少なくすることができる。また、バルーン１０の断面形状は円状に限らず、四角状等の多角形状とし得る。
三角表示板３０は、特許文献１記載の折り畳み可能な浮き輪式とすることができる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００３３】
Ａ  車両
Ｂ  座席（運転席）
Ｃ  ハンドル（ステアリングホイール）
Ｄ  フロントガラス
Ｗ  車輪
Ｐ  緊急時車両警告表示装置
１  緊急時車両警告表示装置のケース
２  ケース取付用マグネット
３  軸受
４  歯車
５  アクチュエータ
６  ピニオン
７  プリント基板
８  バッテリー
９  操作スイッチ
１０  筒状バルーン
１１  ＬＥＤ発光素子
２０  ガス発生器（ガスボンベ）
２１  ガス配管
２２  電磁弁
３０  三角表示板
３１  ＬＥＤ発光素子
４０  発煙筒
４１  着火器
４２  煙
【図１】
2016107749.tif 000003
【図２】
2016107749.tif 000004
【図３】
2016107749.tif 000005
【図４】
2016107749.tif 000006
【図５】
2016107749.tif 000007
【図６】
2016107749.tif 000008
【図７】
2016107749.tif 000009
【図８】
2016107749.tif 000010